(57)【要約】エコー源性針および、針と超音波機械を併用する方法。針は、針の先端に向かって針の中空体内に位置付けられる乱流誘発部材を有する。乱流誘発部材は、好ましくは、リーマである。流体媒体が、針の中空体内の流路を通過すると、針は、針の先端から流出する流体内に乱流を誘発する。この乱流は、カラードップラー特徴を使用して、超音波機械の出力ディスプレイ上にカラーで可視であり、超音波ディスプレイ上の画像内の針の先端の場所を判定するために役立つ。針の先端は、斜角または鈍角であってもよい。乱流誘発部材は、部分的に、針の遠位端から延在してもよく、異なる構成であってもよい。
2016508797.tif 000002
【特許請求の範囲】
【請求項１】
超音波機械との併用のための針であって、前記超音波機械は、前記針の場所を可視化し、前記針は、
近位端および遠位開放端を有する中空体であって、前記中空体は、それを通して媒体流路を画定する、中空体と、
前記遠位開放端が画定する、先端と、
前記流路内に位置付けられ、前記中空体内に常駐する媒体乱流誘発部材と
を備え、
それによって、前記中空体を通して、かつ前記先端を通して外へ流動する媒体は、超音波機械上で可視である、針。
【請求項２】
前記中空体を通して、かつ前記先端を通して外へ流動する前記媒体は、カラードップラー特徴において動作する超音波機械上で可視である、請求項１に記載の針。
【請求項３】
前記媒体乱流誘発部材は、リーマである、請求項１に記載の針。
【請求項４】
前記先端上に形成された斜角をさらに備え、前記斜角は、３０°−４５°の範囲内で斜角角度を有する、請求項１に記載の針。
【請求項５】
前記中空体は、略円筒状外側外形を有し、前記先端は、前記中空体の縦軸に垂直である平面内にある円周を有する、外側縁部を有する、請求項１に記載の針。
【請求項６】
前記針はさらに、絶縁された外側表面を備える、請求項１に記載の針。
【請求項７】
前記中空体は、プラスチックおよび金属の群から選択される材料を備える、請求項１に記載の針。
【請求項８】
生体内に針を位置付けるためのシステムであって、前記システムは、
超音波機械と、
針と
を備え、
前記針は、
近位端および遠位端を有する中空体であって、前記中空体は、それを通して流路を画定する、中空体と、
前記針が画定する、前記遠位端に位置する先端と、
前記流路内に位置付けられ、かつ前記中空体内に位置する媒体乱流誘発部材と
を含む、システム。
【請求項９】
前記媒体乱流誘発部材は、リーマである、請求項８に記載のシステム。
【請求項１０】
前記先端上に形成された斜角をさらに備え、前記斜角は、３０°−４５°の範囲内で斜角角度を有する、請求項８に記載の針。
【請求項１１】
前記中空体は、略円筒状外側外形を有し、前記先端は、前記中空体の縦軸に垂直である平面内にある円周を有する、縁部を有する、請求項８に記載の針。
【請求項１２】
前記針はさらに、絶縁された外側表面を備える、請求項８に記載の針。
【請求項１３】
針の先端を特定する方法であって、前記方法は、
超音波機械を提供するステップであって、前記超音波機械は、前記超音波機械の出力を視認するためのカラーディスプレイを有する、ステップと、
針を提供するステップであって、前記針は、近位端および遠位端を有する中空体を有し、前記中空体は、流路を画定し、前記針はさらに、前記遠位端に位置する先端を有する、ステップと、
前記流路内に媒体乱流誘発部材を位置付けるステップと、
前記針の先端を身体部位の中に挿入するステップと、
前記超音波機械をアクティブ化するステップと、
着目領域にわたって前記超音波機械の変換器を位置付けるステップと、
前記流路を通して、かつ前記針の先端を通して外へ媒体を送るステップと、
前記針の先端を通して前記針から流出する媒体の乱流を示す、前記超音波機械のカラーディスプレイ部を観察し、それによって、前記針の先端の場所を識別するステップと
を含む、方法。
【請求項１４】
前記超音波機械は、カラードップラー特徴を使用して、動作している、請求項１３に記載の方法。
【請求項１５】
前記媒体乱流誘発部材は、リーマである、請求項１３に記載の方法。
【発明の詳細な説明】
【技術分野】
【０００１】
（関連出願への相互参照）
本出願は、２０１３年２月２６日に出願された「ＣＯＬＯＲ  ＵＬＴＲＡＳＯＵＮＤ  ＮＥＥＤＬＥ」という題目の先願仮特許出願第６１／７６９，３００号に関連し、それに対して優先権を主張する。上記文献の全部の内容は、参照することによって本明細書において援用される。
【０００２】
本発明は、概して、組織の中への針の挿入に関する。概して、医師は、医療用超音波機械を使用し、針を組織の中に留置すべき場所を可視化する。針は、実施例として、血管中、神経近傍、羊水中、または絨毛膜標本採取のためのいずれかに、留置されてもよい。
【背景技術】
【０００３】
（発明の背景）
組織の中へのその挿入の間、針の場所を把握し、所望の場所に針を適切に位置させ、不要な損傷をもたらし得る針の留置を回避することが、医療において必要とされる。
【０００４】
針が、超音波を使用して、可視化することが困難であり得る、またはそうとは限らない、既知の問題が先行技術に存在する。例えば、患者の肥満の程度、患者の多様な解剖学的構造、および異なる開業医の技能レベルが、針の可視化に影響を及ぼす。超音波は、白黒または灰色スケールである、写真を与える。
【０００５】
局所麻酔の使用は、より少ない血液損失、より少ない血栓、外科手術に対して生成されるより少ないストレスホルモン、回復時間の減少、より少ない手術後の痛み、およびより少ない吐き気と関連付けられるため、ますます一般的となりつつある。しかしながら、局所麻酔の投与は、特に、超音波デバイスにあまり熟知していないより古い世代の医師にとって技能を習得することが困難である可能性がある。
【０００６】
白黒においてそれをより可視にするために針をエッチングするレーザ等、針をより可視にするための試みが先行技術においてなされている。しかしながら、さらなる可視化が、所望される。
【０００７】
より正確な針の留置を達成するためのより良好な針の可視化、近接構造への傷害を回避すること、針留置をより成功させるための必要性が存在する。
【０００８】
標準的な針に匹敵する改善された針のコストの必要性も存在する。
【０００９】
単回の患者の使用、すなわち、使い捨てであることが意図される改善された針の必要性も存在する。
【発明の概要】
【課題を解決するための手段】
【００１０】
（発明の要約）
本発明は、先行技術超音波針の利点を保存する。加えて、現在利用可能である超音波針において見出されない新しい利点を提供し、そのような現在利用可能である超音波針の多くの不利点を克服する。
【００１１】
本発明の例示的実施形態は、Ｂ．Ｂｒａｕｎによって製造されたＳｔｉｍｕｐｌｅｘ  Ａ  Ｉｎｓｕｌａｔｅｄ  ｎｅｅｄｌｅ等の修正された針を含む。針は、針内の機械的乱流誘発構造を使用して、かつそれを視認するための超音波機械上のカラードップラー（Ｄｏｐｐｌｅｒ）特徴を使用して、針を通して乱流を引き起こすことによって、カラーで可視にされる。先行技術の針は、超音波機械のカラードップラー特徴を使用して見られ得る、乱流を誘発しないため、カラーで可視可能ではない。
【００１２】
針を通した流動は、変化されることが可能であり、それによって、針の先端／流体流出がカラーで見られることを可能にする。結果として、本発明は、先端の場所等、超音波針の留置が、さらに困難である患者の解剖学的構造において、かつ最低限訓練された開業医によって成功することを可能にする。流体流出の着色噴流が、現在の針を用いて可能であるものより容易な可視化を可能にするであろう。
【００１３】
製造業者が、ユーザ（麻酔専門医等）に、本発明のエコー源性針を提供する。好ましい実施形態では、本発明の針は、略円筒状外側外形、近位端、および遠位端を有する、中空体を有する絶縁された針である。針の中空体は、流体が針の近位端から針の遠位端に位置する針の先端まで指向され得るように、針を通して流路を画定する。針の近位端は、医療用チューブまたは注射器に係合するように構成される。例示的実施形態では、針の遠位端は、ユーザの皮膚を穿刺するための針の能力を改善する斜角先端を有する。他の実施形態では、先端は、鈍角端として形成される。
【００１４】
ユーザがまた、カラードップラー特徴を使用する超音波機械の出力を示し、患者の体内の適切な針の場所を補助するために、カラーディスプレイを伴う超音波機械が提供される。水、生理食塩水、または同等物の形態の流体等の媒体が、近位端から遠位端に向かって、かつ次いで針の先端から外へ流動することが針を通してもたらされると、針の中空体の流路内に位置付けられた乱流誘発部材を通してまたはそれにわたって、通過する。例示的実施形態では、乱流誘発部材は、針の先端に近接して位置する。
【００１５】
乱流誘発部材は、種々の形態をとり得る。好ましい実施形態では、乱流誘発部材は、リーマである。リーマの溝付き表面は、針の中空体内に流体のための螺旋状経路を作る。流体が針から流出すると、注入される患者の体の領域（または他の組織）内において実質的乱流をもたらすであろう。この実質的乱流は、カラー超音波機械のドップラー特徴を使用することによって、３６０°球面として可視である。
【００１６】
製造業者が、超音波機械とともに、または超音波機械と別個に、針または針のセットをユーザに提供してもよい。
【００１７】
ユーザは、超音波機械をアクティブ化し、すなわち、カラードップラー特徴が有効にされ、患者の体上の着目領域にわたって変換器を位置付ける。変換器は、カラーディスプレイを伴うドップラー超音波機械との併用のために構成される。変換器は、音波を送信かつ受信することが可能である。患者の組織内の流体の移動は、ドップラー超音波機械によって検出され、カラーディスプレイ上に表示される。
【００１８】
ユーザは、針を領域中に挿入し、流体を針の中空体内の流路に通過させる。乱流誘発部材は、針から流出した直後に、流体に乱流を生じさせる。ユーザは、超音波機械の出力ディスプレイ上に明るいカラー領域としてこの乱流を観察する。ユーザは、患者の解剖学的構造（実質的に、白黒または灰色スケールで）と針の先端に隣接する乱流の明るい面積（実質的に、カラーで）との両方を確認することができる。ユーザは、超音波機械の出力ディスプレイを見ながら、患者の体に対する針の角度を調節し、患者の体内への針の挿入の深度を調節することによって、針の先端を患者内の所望の標的場所に移動する。
【００１９】
したがって、針の先端において乱流を誘発し、ドップラー特徴を使用する超音波機械によりこれを視認することによって、より正確な針の留置を達成するために、針のより良好な可視化を提供することが、本発明の目的である。
【００２０】
本発明の別の目的は、近接構造への傷害を回避し、針留置をより成功させることである。
【００２１】
標準的な針に匹敵する改善された針のコストを保つことも、本発明の目的である。
【００２２】
単回の患者の使用および使い捨てのための針を提供することも、本発明のさらなる目的である。
【００２３】
本発明の特徴である新規特徴は、添付の請求項に記載される。しかしながら、本発明の好ましい実施形態は、さらなる目的および付随する利点とともに、付随の図面に関連して検討される以下の詳細な説明を参照することによって、最良に理解されるであろう。
【図面の簡単な説明】
【００２４】
【図１】図１は、乱気流を作る内部リーマを伴う、針アセンブリの斜視図である。
【図２】図２は、その中に常駐するリーマを伴う、針の端面図である。
【図３】図３は、破線で示される内部構造を伴う、針アセンブリの側面図である。
【図４】図４は、リーマの側面図である。
【図５】図５は、図４のリーマの端面図である。
【図６】図６は、リーマの代替実施形態の側面図である。
【図７】図７は、超音波変換器を動作し、針を患者の腕の中に挿入する準備をする、ユーザの斜視図である。
【図８Ａ】図８Ａは、針の先端から流出する乱流体を伴わない、媒体の注入に先立って、患者の組織中に挿入される針の超音波画像を示す。
【図８Ｂ】図８Ｂは、その先端からの流体媒体の乱流を伴う針の先端を通して注入される流体を伴い、それによって、針の先端の場所を識別する、針の超音波画像を示す。
【図８Ｃ】図８Ｃは、針の先端を通して注入されるより多量の流体を伴い、付加的乱流を呈する、針のさらなる超音波画像を示す。
【図８Ｄ】図８Ｄは、針の先端を通して注入されるさらに多量の流体を伴い、さらに付加的乱流を呈する、針のさらなる超音波画像を示す。
【発明を実施するための形態】
【００２５】
（好ましい実施形態の詳細な説明）
ここで、図面を参照すると、本発明のカラー超音波針が、例証され、概して、１０において示される。以下により完全に説明されるであろうように、本発明のカラー超音波針１０は、薬剤または生理食塩水等の乱流体を患者に送達する、エコー源性医療針を提供し、それによって、患者に針を使用する、医者または他の個人が、カラードップラー超音波ディスプレイ上の乱流体の場所を見出すことによって、患者内の針の先端の場所を判定することができる。
【００２６】
例示的実施形態の本発明の針１０アセンブリは、異なる整流装置またはねじ先端設計を用いた実験の後に達成され、それらが針の先端の中に楔合された。これは、針の先端において異なる流量割合および乱流につながる。図の例示的実施形態は、好ましい実施形態であり、超音波機械上の良好なカラーディスプレイを可能にする、ある乱流のための幾何学形状を伴う。
【００２７】
本発明は、肥満患者の体内等を確認することがはるかにより容易であるため、先行技術の問題を克服する。また、技能または訓練のどのレベルにおける開業医にとっても確認することが容易である。白黒または灰色スケールにおける超音波可視化の代わりに、本発明の可視化は、超音波機械のドップラー特徴を使用するカラーである。
【００２８】
本発明は、標準的な神経ブロック針を修正し、針から流出する流体内に乱流を誘発することができる。標準的な針は、針から流出する第１の流体分子が十分な速さおよび乱流を有するように、修正されることができ、したがって、針の先端から流動する第１の流体は、超音波機械の中に内蔵されたドップラー特徴によってカラーで見られるであろう。針を通して指向される流体は、薬剤、麻酔剤、０．９％生理食塩水、または別の流体であることができる。
【００２９】
図１−３は、本発明の針１０の例示的実施形態を示す。針は、近位端１４および遠位端１６を有する、中空体１２を有する。流体が患者に指向されると、近位端１４から遠位端１６まで、中空体１２内の流路１８を通過し、そこで、針の先端２０は、画定され、かつ位置付けられる。
【００３０】
図１−３の実施形態の針１０の先端２０は、好ましくは、斜角であり、これは、最小限の力を用いて、ユーザの皮膚を穿刺するために有益となる。先端上に形成された斜角面２２と、斜角角度とは、ユーザのニーズまたは選好に従って設計されることができる。好ましくは、斜角角度は、針１０の縦軸に対して３０°〜４５°の範囲である。
【００３１】
本発明は、針の先端における乱流の産出によって、カラーで一意に可視であることができ、したがって、容易に見られることができる。これは、異なる構造を使用して、多くの異なる方法で実行されることができる。乱流誘発部材２４が、流路内または流路の遠位端に隣接して、位置付けられる。
【００３２】
例示的実施形態では、乱流誘発部材２４は、中空体１２の遠位端１６に向かって位置する、リーマである。リーマ２４は、近位端２６および遠位端２８を有し、これは、それぞれ、中空体１２の近位端１４および遠位端１６と同軸上に整合される。例示的実施形態では、リーマ２４は、針１０の先端２０に隣接して位置する。リーマは、機械加工用ツールとして通常使用されるが、ここでは、リーマの螺旋状溝は、乱流が、超音波デバイスを用いて視認されると、針の先端の周囲に、かつそれを中心に可視であるように、それにわたって、かつその周囲を通過する流体の乱流を誘発するために使用される。
【００３３】
図２は、中空体１２とリーマ２４との両方が可視である、針１０の先端の図を示す。この図は、リーマ２４のランド３０が、針１０の流路１８を画定する中空体１２の内径に略等しいリーマ２４の外径を画定することを示す。したがって、中空体１２の近位端１４から遠位端１６まで移動する流体は、リーマ２４の溝３２に沿って、略螺旋状経路内に指向される。
【００３４】
ともに、図１−３は、例示的実施形態の針１０の中空体１２が、Ｒ１の半径を有する略円筒状外側外形と、Ｒ２の半径を有する略円筒状内側外形とを有することを示す。例示的実施形態では、Ｒ１は、０．０１８インチであり、Ｒ２は、０．０１２インチである。この構成は、使用され得る、乱流誘発部材２４の一実施例にすぎない。
【００３５】
図３は、例示的実施形態の完全に組み立てられた針１０の側面図を示す。中空体の内部表面は、破線で示される。この内部表面は、中空体１２の流路１８を画定する。流体は、矢印Ａに沿ってそれを中空体１２を通して移動することによって、患者に指向されることができる。例示的実施形態では、乱流誘発部材２４が、中空体内に常駐していないとき、流路１８は、中空体１２の縦軸と略平行である方向Ａにおける、中空体１２内の流体の実質的層流を提供することができるように構成される。
【００３６】
例示的実施形態が斜角先端を有するため、かつリーマ２４がその遠位端２８において平坦面２９を有するため、リーマは、部分的に、縦方向のＢの距離だけ、図３の斜角先端面２２を越えて延在する。距離Ｂは、リーマの遠位端の平坦面２９から、中空体１２の近位端１４に最も近い斜角先端面２２上の点まで測定される。例示的実施形態では、距離Ｂは、０．０２４インチに等しい。針１０の中空体１２の近位端１４により近接してリーマ２４を位置付けることが可能である。また、リーマの遠位端の幾何学形状を修正することも可能である。リーマ２４は、先端２０の外側に延在してもよい、または中空体１２内に完全に含有されてもよい。
【００３７】
針の斜角先端２０はさらに、ランセット先端を含んでもよく、患者の皮膚または他の組織を穿刺するためのより鋭利な先端２０をともに形成するランセット表面２１を伴う。
【００３８】
図４−６は、針の中空体から取り外された例示的実施形態のリーマを示す。図４は、リーマが３つの溝３２と、３つのランド３０とを有することを示す。図４は、リーマが遠位端から近位端までの長さＬを有することを示す。図５は、リーマの遠位端２８から視認されると、リーマがランド３０によって画定される外径Ｄを有することを示す。
【００３９】
特に、４ＦＬ．ＲＥＡＭＥＲの６０度螺旋、０．０２４０×０．２５０インチの長さ、０．００８インチの深さが、この乱流を作るための好適な構造であることが見出されている。このリーマに関して、長さＬは、０．２５０インチであり、直径Ｄは、０．０２４インチである。これは、本発明において使用されることができる、リーマのタイプおよび構成の一実施例にすぎないことを理解されたい。例えば、マイクロノズル挿入リーマ２４の形状および構成は、乱流の異なるレベルおよびタイプを作り、ドップラー特徴を使用する超音波機械上で可視化されるとき異なるカラーシグネチャを提供するために、異なるねじ山ピッチを有する図６のように、変化されることができる。
【００４０】
例示的実施形態は、中空体１２上に斜角先端２０を含むが、他の先端幾何学形状も可能である。例えば、針は、正方形の先端を有し得る。先端は、次いで、針の中空体の縦軸に垂直である平面内に位置する先端面を画定する円形外側外形を有する、先端縁部を有するであろう。
【００４１】
針は、プラスチックおよび金属を含む、種々の材料から作製されてもよい。例示的実施形態の針は、超音波デバイスとの併用のための絶縁された針であるが、また、非絶縁の針を使用することも可能である。
【００４２】
ユーザは、事前に購入された超音波機械との併用のための針が提供されてもよい、または本発明の針は、超音波機械とカラーディスプレイとともに、ユーザに提供されてもよい。針は、単回の使用のために構成されることができる。
【００４３】
さらには、乱流誘発部材２４は、そのような流体が、針を通して、かつ針の先端２０を通して外へ注入されるとき、それにわたって、かつそれを中心に通過すると、流体の乱流を誘発する任意の構成であってもよい。螺旋状溝付きリーマ２４が好ましいが、他の外形表面も、採用されてもよい、または他の構造（図示せず）も、採用されてもよい。例えば、球面が、流体内の要求される乱流を誘発するために、針内に位置付けられてもよい。
【００４４】
図７は、超音波変換器１００を動作し、かつ針１０を患者の腕２００の中に挿入する準備をする、ユーザの斜視図を示す。本発明の針１０は、注射器３００に固着され、かつそれから延在する。注射器は、患者の腕に送達される流体を含有する、チャンバ３１０を有する。本発明の方法は、ユーザが、患者への流体（麻酔剤等）の適切な投与のために、本発明の針１０を位置付けることを可能にする。
【００４５】
ユーザは、まず、針を挿入する、体内の着目領域または他の生体組織を識別する。着目領域内において、ユーザは、針の先端が位置するべきである、標的場所を識別する。例えば、麻酔専門医または物理療法医学の医者が、組織が麻痺される必要がある、患者の体の面積内の神経集網を識別することができ、そこで、患者が外科手術のために準備される必要がある、痛みが手術後に減少される必要がある、または、痛みが日常生活において減少される必要がある。患者の体面積は、腹部、腕、脚、肩、膝、肘、または別の体の一部等の面積であってもよい。先端留置の成功は、流体の適切な用量が標的場所に指向されるように、かつユーザが針の先端を用いて患者内の囲繞組織を損傷しないように回避するように、標的場所の略近傍に先端を留置するであろう。
【００４６】
ユーザは、超音波機械の出力を視認するために、カラーディスプレイおよびカラードップラー特徴を有する、超音波デバイスをアクティブ化する。ハンドヘルド変換器を有する超音波デバイスの場合、ユーザは、着目領域にわたって変換器を位置付け、カラーディスプレイを視認する。
【００４７】
次いで、ユーザは、本発明の針を患者の中に挿入し、着目領域内の標的場所に隣接して針の先端を留置することを試みる。ユーザが流体を針の中空体および乱流誘発部材を通して流動させると、結果として生じる流体の乱流は、カラードップラー特徴が有効にされるとき、超音波機械のカラーディスプレイ上にカラーで可視である。ユーザは、流体のこの乱流の場所を観察し、それによって、少なくとも、針の先端の場所を実質的に判定することができる。特に、視認されるカラー部分の流動の方向は、針の先端の場所のさらなるインジケータである。また、ユーザは、針の斜角先端の回転を判定することも可能であることができる。ユーザはまた、針近傍の患者の解剖学的構造を観察する。ユーザは、患者内の針の角度および針の深度を調節し、適切に、患者の体内の、乱流、ひいては、針の先端を特定することができる。
【００４８】
図８Ａ−８Ｄは、本発明による、超音波機械のカラーディスプレイからの連続画面捕捉を示し、そこからの出力を示す。流体が、針を通して、かつ先端から外へ指向されるにつれて、超音波機械のカラーディスプレイは、薬、水、生理食塩水、および同等物等の流体が、針の先端から流出した直後に向かう場所を示す、「雲影」または噴流状炎を示す。麻酔専門医にとって、薬剤が向かう場所を把握することは重大であり、本発明のカラーディスプレイおよび針を使用することは、したがって、ユーザが、針の先端および注入される薬剤の流動を識別することを可能にする。
【００４９】
図８Ａは、患者の組織４００中に挿入される針１０の先端を示し、針の先端１０から流出する乱流体を伴わない。いくつかのカラーがわずかに可視に現れるが、画面捕捉は、ほとんど白黒および灰色領域として現れる。
【００５０】
図８Ｂは、流体が本発明の針から流出させられた直後に捕捉された画像を示す。乱流５００の小さな面積が、針の先端に隣接してカラーで可視である。図８Ｂでは、例えば、乱流の赤色の面積５１０が、先端２０に隣接して現れる。乱流の青色の面積が、さらに、先端から現れ、先端に隣接するより明るい青色の面積５２０と、さらに先端から前進された流体内のより暗い青色の面積５３０とを伴う。患者の組織および針が、灰色、白色、および黒色で実質的に現れる。したがって、流体の乱流は、カラーでユーザに即座に可視であり、白色で現れる針の先端は、患者体内の他の略白色の面積とより容易に区別されることができる。
【００５１】
乱流が経時的に継続するにつれて、カラー面積はさらに、展開する。図８Ｃは、赤色の面積５１０、黄色の面積５４０、青色の面積５３０、および白色の面積５５０等のカラー面積で乱流を示す。乱流の白色の面積は、それを囲繞する乱流のカラフルに表示された領域によるディスプレイ上の他の白色の面積と区別可能である。図８Ｄは、時間シーケンスにおける第３のフレームを示し、赤色は、乱流の表示画像内でより顕著である。
【００５２】
画面捕捉が、先端場所を示すために有用であるが、リアルタイムビデオは、針のユーザにとって、さらにより有用である。カラー面積が進行するにつれて、ユーザは、それが形成する、かつそれが生じる、点を確認することができ、これは、針の先端２０に隣接する。したがって、針１２の先端２０は、正確に判定されることができる。
【００５３】
これらの画面捕捉等の図は、超音波が使用され、薬剤が所望の面積内に注入されたことを保険会社に証明するために使用されることができる。
【００５４】
針自体は、エコー源性である必要ではないが、針の中空体上にエコー源性特徴を含むことが可能である。それにもかかわらず、先端場所を判定するための主要なエコー源性の利点は、針の先端から流出する乱流から生じるであろう。
【００５５】
螺旋状経路は、リーマによって形成される必要はない。螺旋状溝を有する他の構造を針の中空体の中に挿入することによって、螺旋状経路を形成することが可能である。代替として、乱流誘発部材および針の中空体は、一体型部分として製造されてもよい。
【００５６】
さらには、任意のタイプの構造が、針が超音波上にカラーで見られることができるように、先端において必要とされる乱流を作るために、針の先端において使用され得ることを理解されたい。例えば、リーマ構成の代わりに、針内のマイクロボールおよび他の構造も、使用されることができる。マイクロボールは、針の流路内に含有され、針の中空体を通して層流を中断するであろう。したがって、図に示され、本明細書に説明されるもの等、針を介して乱流を誘発する任意の手段が、含まれることができる。
【００５７】
したがって、本発明の針アセンブリは、カラーで針の先端および流体注入を示す。これは、より正確な針留置、近接構造への障害を回避すること、薬剤または他の流体の送達のための針留置の成功を可能にする。コストは、標準的な針に匹敵するはずである。
【００５８】
本発明の針アセンブリは、好ましくは、プラスチックから作製されるが、医療グレードおよび外科手術のために好適である、任意の材料から作製されてもよい。
【００５９】
したがって、本発明は、針の先端において乱流を誘発し、ドップラー特徴を使用する超音波機械によりこれを視認することによって、より正確な針留置を達成するために、針のより良好な可視化を提供することが分かる。本発明は、近接構造への障害を回避することに役立ち、かつ針留置をより成功させることに役立つ。加えて、本発明は、標準的な針に匹敵するコストをもたらす、改善された針を提供する。さらに、本発明は、単回の患者の使用および使い捨てのための針を提供する。これらの理由のため、本発明は、当技術分野で有意な進歩を表すことが考えられ、これは、実質的商業的メリットを有する。
【００６０】
本発明を具現化する、ある具体的な構造が本明細書に示され、かつ説明されたが、部品の種々の修正および再配列が、根底にある発明に関する概念の精神および範囲から逸脱せずに行われてもよいことと、それが、添付の請求項の範囲によって示される場合を除いて、本明細書に示され、かつ説明される特定の形態に限定されないこととが、当業者に明示的であるであろう。
【図１】
2016508797.tif 000003
【図２】
2016508797.tif 000004
【図３】
2016508797.tif 000005
【図４】
2016508797.tif 000006
【図５】
2016508797.tif 000007
【図６】
2016508797.tif 000008
【図７】
2016508797.tif 000009
【図８Ａ】
2016508797.tif 000010
【図８Ｂ】
2016508797.tif 000011
【図８Ｃ】
2016508797.tif 000012
【図８Ｄ】
2016508797.tif 000013
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
超音波機械との併用のための針であって、前記超音波機械は、前記針の場所を可視化し、前記針は、
近位端および遠位開放端を有する中空体であって、前記中空体は、それを通して媒体流路を画定する、中空体と、
前記遠位開放端において画定された先端と、
前記流路内に位置付けられ、前記中空体内に常駐する媒体乱流誘発部材と
を備え、
それによって、前記中空体を通して、かつ前記先端を通して外へ流動する媒体は、超音波機械上で可視である、針。
【請求項２】
前記中空体を通して、かつ前記先端を通して外へ流動する前記媒体は、カラードップラー特徴において動作する超音波機械上で可視である、請求項１に記載の針。
【請求項３】
前記媒体乱流誘発部材は、リーマである、請求項１に記載の針。
【請求項４】
前記先端上に形成された斜角をさらに備え、前記斜角は、３０°−４５°の範囲内で斜角角度を有する、請求項１に記載の針。
【請求項５】
前記中空体は、略円筒状外側外形を有し、前記先端は、前記中空体の縦軸に垂直である平面内にある円周を有する、外側縁部を有する、請求項１に記載の針。
【請求項６】
前記針はさらに、絶縁された外側表面を備える、請求項１に記載の針。
【請求項７】
前記中空体は、プラスチックおよび金属の群から選択される材料を備える、請求項１に記載の針。
【請求項８】
生体内に針を位置付けるためのシステムであって、前記システムは、
超音波機械と、
針と
を備え、
前記針は、
近位端および遠位端を有する中空体であって、前記中空体は、それを通して流路を画定する、中空体と、
前記遠位端に位置する先端と、
前記流路内に位置付けられ、かつ前記中空体内に位置する媒体乱流誘発部材と
を含む、システム。
【請求項９】
前記媒体乱流誘発部材は、リーマである、請求項８に記載のシステム。
【請求項１０】
前記先端上に形成された斜角をさらに備え、前記斜角は、３０°−４５°の範囲内で斜角角度を有する、請求項８に記載のシステム。
【請求項１１】
前記中空体は、略円筒状外側外形を有し、前記先端は、前記中空体の縦軸に垂直である平面内にある円周を有する、縁部を有する、請求項８に記載のシステム。
【請求項１２】
前記針はさらに、絶縁された外側表面を備える、請求項８に記載のシステム。
【請求項１３】
針の先端を特定するためのシステムであって、前記システムは、
超音波機械であって、前記超音波機械は、前記超音波機械の出力を視認するためのカラーディスプレイを有する、超音波機械と、
針であって、前記針は、近位端および遠位端を有する中空体を有し、前記中空体は、流路を画定し、前記針はさらに、前記遠位端に位置する先端を有し、前記針は、前記流路内に位置付けられた媒体乱流誘発部材を有する、針と
を備え、
媒体は、前記流路を通して、かつ前記針の先端を通して外へ送られ、
前記針の先端を通して前記針から流出する媒体の乱流を示す、前記超音波機械のカラーディスプレイ部は、前記針の先端の場所を識別するために使用される、システム。
【請求項１４】
前記超音波機械は、カラードップラー特徴を使用して、動作している、請求項１３に記載のシステム。
【請求項１５】
前記媒体乱流誘発部材は、リーマである、請求項１３に記載のシステム。
【手続補正２】
【補正対象書類名】明細書
【補正対象項目名】００２２
【補正方法】変更
【補正の内容】
【００２２】
単回の患者の使用および使い捨てのための針を提供することも、本発明のさらなる目的である。
本願明細書は、例えば、以下の項目も提供する。
（項目１）
超音波機械との併用のための針であって、前記超音波機械は、前記針の場所を可視化し、前記針は、
近位端および遠位開放端を有する中空体であって、前記中空体は、それを通して媒体流路を画定する、中空体と、
前記遠位開放端が画定する、先端と、
前記流路内に位置付けられ、前記中空体内に常駐する媒体乱流誘発部材と
を備え、
それによって、前記中空体を通して、かつ前記先端を通して外へ流動する媒体は、超音波機械上で可視である、針。
（項目２）
前記中空体を通して、かつ前記先端を通して外へ流動する前記媒体は、カラードップラー特徴において動作する超音波機械上で可視である、項目１に記載の針。
（項目３）
前記媒体乱流誘発部材は、リーマである、項目１に記載の針。
（項目４）
前記先端上に形成された斜角をさらに備え、前記斜角は、３０°−４５°の範囲内で斜角角度を有する、項目１に記載の針。
（項目５）
前記中空体は、略円筒状外側外形を有し、前記先端は、前記中空体の縦軸に垂直である平面内にある円周を有する、外側縁部を有する、項目１に記載の針。
（項目６）
前記針はさらに、絶縁された外側表面を備える、項目１に記載の針。
（項目７）
前記中空体は、プラスチックおよび金属の群から選択される材料を備える、項目１に記載の針。
（項目８）
生体内に針を位置付けるためのシステムであって、前記システムは、
超音波機械と、
針と
を備え、
前記針は、
近位端および遠位端を有する中空体であって、前記中空体は、それを通して流路を画定する、中空体と、
前記針が画定する、前記遠位端に位置する先端と、
前記流路内に位置付けられ、かつ前記中空体内に位置する媒体乱流誘発部材と
を含む、システム。
（項目９）
前記媒体乱流誘発部材は、リーマである、項目８に記載のシステム。
（項目１０）
前記先端上に形成された斜角をさらに備え、前記斜角は、３０°−４５°の範囲内で斜角角度を有する、項目８に記載の針。
（項目１１）
前記中空体は、略円筒状外側外形を有し、前記先端は、前記中空体の縦軸に垂直である平面内にある円周を有する、縁部を有する、項目８に記載の針。
（項目１２）
前記針はさらに、絶縁された外側表面を備える、項目８に記載の針。
（項目１３）
針の先端を特定する方法であって、前記方法は、
超音波機械を提供するステップであって、前記超音波機械は、前記超音波機械の出力を視認するためのカラーディスプレイを有する、ステップと、
針を提供するステップであって、前記針は、近位端および遠位端を有する中空体を有し、前記中空体は、流路を画定し、前記針はさらに、前記遠位端に位置する先端を有する、ステップと、
前記流路内に媒体乱流誘発部材を位置付けるステップと、
前記針の先端を身体部位の中に挿入するステップと、
前記超音波機械をアクティブ化するステップと、
着目領域にわたって前記超音波機械の変換器を位置付けるステップと、
前記流路を通して、かつ前記針の先端を通して外へ媒体を送るステップと、
前記針の先端を通して前記針から流出する媒体の乱流を示す、前記超音波機械のカラーディスプレイ部を観察し、それによって、前記針の先端の場所を識別するステップと
を含む、方法。
（項目１４）
前記超音波機械は、カラードップラー特徴を使用して、動作している、項目１３に記載の方法。
（項目１５）
前記媒体乱流誘発部材は、リーマである、項目１３に記載の方法。
【手続補正３】
【補正対象書類名】図面
【補正対象項目名】全図
【補正方法】変更
【補正の内容】
【図１】
2016508797.tif 000014
【図２】
2016508797.tif 000015
【図３】
2016508797.tif 000016
【図４】
2016508797.tif 000017
【図５】
2016508797.tif 000018
【図６】
2016508797.tif 000019
【図７】
2016508797.tif 000020
【図８Ａ】
2016508797.tif 000021
【図８Ｂ】
2016508797.tif 000022
【図８Ｃ】
2016508797.tif 000023
【図８Ｄ】
2016508797.tif 000024
【国際調査報告】
2016508797.tif 000025